(57)【要約】【課題】柔らかな衝撃により骨を粉砕することができる骨粉砕機を提供する。【解決手段】骨粉砕機１は、例えば、骨折の治療において、癒合させたい骨の端を粉砕する際に用いるものであり、本体部１０と、この本体部１０の内部に形成されたシリンダ２０と、シリンダ２０の先端側に設けられたハンマー３０と、ハンマー３０の先端側に設けられたチゼル４０とを備えている。本体部１０の内部には、例えば、ピストン２３が先端側に移動した時に当接してピストン２３の先端側への移動を停止させると共に、ピストン２３が衝突した時の衝撃を緩和する緩和部材７０が設けられている。【選択図】図１
2019170418.tif 000002
【特許請求の範囲】
【請求項１】
本体部と、
この本体部の内部に形成され、流体導入口及び流体排出口が設けられ、流体圧によりピストンが往復運動するシリンダと、
このシリンダの先端側に設けられ、前記ピストンの往復運動に応じて往復運動可能なハンマーと、
このハンマーの先端側に設けられ、前記ハンマーの往復運動に応じて往復運動可能であり、骨を粉砕するチゼルと、
前記ピストンが先端側に移動した時に当接して前記ピストンの先端側への移動を停止させ、少なくとも一部が弾性部材により構成されて、前記ピストンが衝突した時の衝撃を緩和する緩和部材と
を備えたことを特徴とする骨粉砕機。
【請求項２】
前記チゼルを先端側に付勢する付勢部材を備え、
前記チゼルが後端側に押されることにより、前記付勢部材が圧縮され、前記ピストン及び前記ハンマーが先端側に移動する力が前記チゼルに伝達される
ことを特徴とする請求項１記載の骨粉砕機。
【請求項３】
前記チゼルを着脱可能に支持し、前記本体部に対して前記ハンマーの移動方向に移動可能に配設された連結部材を備え、
前記付勢部材は、前記連結部材と前記本体部との間に配設された
ことを特徴とする請求項２記載の骨粉砕機。
【請求項４】
前記本体部には、手で持つためのハンドル部が形成され、
このハンドル部を持った手で操作可能な位置に、前記シリンダへの流体の供給及び停止を制御するトリガー部が設けられた
ことを特徴とする請求項１から請求項３のいずれか１に記載の骨粉砕機。
【請求項５】
前記ピストンを往復運動させる流体の流量を調整する流量調整機構を備えたことを特徴とする請求項１から請求項４のいずれか１に記載の骨粉砕機。
【発明の詳細な説明】
【技術分野】
【０００１】
本発明は、骨を粉砕する骨粉砕機に関する。
【背景技術】
【０００２】
成形外科における骨折の治療法のひとつとして、癒合させたい骨の端をばらばらに粉砕し、移植する治療法がある。しかしながら、本治療法は広く普及するに至っておらず、骨を粉砕できるハンディタイプの粉砕機の開発が望まれている。また、生存している人体の骨を粉砕するためには、過度な衝撃を骨に与えるのではなく、柔らかな衝撃により骨を粉砕することが必要である。
【先行技術文献】
【特許文献】
【０００３】
【特許文献１】特開２００５−１９３０４６号公報
【発明の概要】
【発明が解決しようとする課題】
【０００４】
本発明は、このような問題に基づきなされたものであり、柔らかな衝撃により骨を粉砕することができる骨粉砕機を提供することを目的とする。
【０００５】
なお、特許文献１には骨の中にキャビティを形成するための微粉砕システムが記載されている。この微粉砕システムは、駆動軸１２８、カッター２２を担持するためのフレーム２４、及び、キャビティを切開するためのカッター２２を備え、駆動軸１２８はカッター２２に連結するために駆動ジョイントの一部を形成するように構成されている先端部を有している。しかしながら、特許文献１は、股関節の骨を微粉砕するものであり、ドリル型のカッターを用いることから、本願発明とは基本的な構成が全く異なっている。
【課題を解決するための手段】
【０００６】
本発明の骨粉砕機は、本体部と、この本体部の内部に形成され、流体導入口及び流体排出口が設けられ、流体圧によりピストンが往復運動するシリンダと、このシリンダの先端側に設けられ、ピストンの往復運動に応じて往復運動するハンマーと、このハンマーの先端側に設けられ、ハンマーの往復運動に応じて往復運動し、骨を粉砕するチゼルと、ピストンが先端側に移動した時に当接してピストンの先端側への移動を停止させ、少なくとも一部が弾性部材により構成されて、ピストンが衝突した時の衝撃を緩和する緩和部材とを備えたものである。
【発明の効果】
【０００７】
本発明によれば、ピストンが先端側に移動して衝突した時の衝撃を緩和する緩和部材を設けるようにしたので、チゼルに伝わる衝撃を緩和することができ、柔らかな衝撃により骨を粉砕することができる。
【０００８】
また、チゼルを先端側に付勢する付勢部材を設け、チゼルが後端側に押されることにより、付勢部材が圧縮され、ピストン及びハンマーが先端側に移動する力がチゼルに伝達されるようにすれば、チゼルを粉砕対象の骨に押し当てた時にチゼルに力が伝達され、骨を粉砕することができる。よって、チゼルを骨に押し当てる前はチゼルが駆動しないので、チゼルを粉砕位置に正確に押し当てることができ、容易かつ安全に高い精度で骨を粉砕することができる。
【０００９】
更に、チゼルを着脱可能とすれば、粉砕対象に応じて先端形状の異なるチゼルを用いることができると共に、使用により摩耗した時には新品と交換することができる。
【００１０】
加えて、本体部に手で持つためのハンドル部が形成され、このハンドル部を持った手で操作可能な位置に、シリンダへの流体の供給及び停止を制御するトリガー部をもうけるようにすれば、片手で持ち容易に操作することができ、容易に治療することができる。
【００１１】
更にまた、ピストンを往復運動させる流体の流量を調整する流量調整機構を備えるようにすれば、衝撃度合を調整することができ、骨を目的に応じた強度で粉砕することができる。
【図面の簡単な説明】
【００１２】
【図１】本発明の第１の実施の形態に係る骨粉砕機の構成を表す断面図である。
【図２】図１に示した骨粉砕機の一部を拡大して表す断面図である。
【図３】図１に示した骨粉砕機の動作を表す断面図である。
【図４】図２に続く骨粉砕機の動作を表す他の断面図である。
【図５】図３に続く骨粉砕機の動作を表す他の断面図である。
【図６】本発明の第２の実施の形態に係る骨粉砕機の構成の一部を表す断面図である。
【図７】図６に示した骨粉砕機の動作を表す断面図である。
【図８】図７に続く骨粉砕機の動作を表す他の断面図である。
【図９】図８に続く骨粉砕機の動作を表す他の断面図である。
【図１０】図９に続く骨粉砕機の動作を表す他の断面図である。
【発明を実施するための形態】
【００１３】
以下、本発明の実施の形態について図面を参照して詳細に説明する。
【００１４】
（第１の実施の形態）
図１は、本発明の第１の実施の形態に係る骨粉砕機１の構成を表すものである。図２は骨粉砕機１の一部を拡大して表すものである。この骨粉砕機１は、例えば、骨折の治療において、癒合させたい骨の端を粉砕する際に用いるものであり、本体部１０と、この本体部１０の内部に形成されたシリンダ２０と、シリンダ２０の先端側に設けられたハンマー３０と、ハンマー３０の先端側に設けられたチゼル４０とを備えている。
【００１５】
シリンダ２０には、流体導入口２１及び流体排出口２２が設けられており、内部には、流体圧により往復運動するピストン２３が設けられている。流体導入口２１は、例えば、シリンダ２０の後端側の周面に複数設けられており、ピストン２３の後ろ側に流体を挿入し、ピストン２３を先端側に移動させるようになっている。流体排出口２２は、例えば、シリンダ２０の後端側に設けられており、シリンダ２０の内部に導入された流体を排出することにより、ピストン２３を後端側に移動させるようになっている。流体導入口２１と流体排出口２２とは、例えば、ピストン２３が先端側に移動した時にシリンダ２０の内部を介して連通され、ピストン２３が後端側に移動した時に連通が遮断されるように構成されている。ピストン２３は、例えば、ステンレスにより構成されることが好ましい。シリンダ２０を駆動する流体としては、水等の液体でも、空気などの気体でもよいが、空気が好ましい。簡易に用いることができるからである。
【００１６】
ハンマー３０は、例えば、ピストン２３に接して配置されており、ピストン２３の往復運動に応じて往復運動することが可能となっている。ハンマー３０は、例えば、往復運動する方向に伸長された棒状であり、ステンレスにより構成されることが好ましい。ハンマー３０のピストン２３の側の外周部には、例えば、フランジ３１が突出して設けられている。フランジ３１は、例えば、ピストン２３に対して係止されており、ピストン２３が先端側に移動する際には、フランジ３１がピストン２３に押圧されてハンマー３０はピストン２３と共に先端側に移動し、ピストン２３が後端側に移動する際には、ハンマー３０はチゼル４０に押圧されてピストン２３に係止されて共に後端側に移動するようになっている。
【００１７】
チゼル４０は、骨を粉砕するものであり、例えば、本体部１０に対して配設された連結部材５０により着脱可能に支持されている。粉砕対象に応じて先端形状の異なるチゼル４０を交換して用いたり、使用により摩耗した時に新品と交換することができるようにするためである。チゼル４０は、例えば、ステンレスにより構成されることが好ましい。チゼル４０の先端形状としては、例えば、所定の幅を有し、先端に向かい厚みが薄くなる形状や、幅及び厚みが先端に向かい小さくなる形状が挙げられる。
【００１８】
連結部材５０は、例えば、本体部１０に対してハンマー３０の移動方向に移動可能に配設されている。連結部材５０の後端側の少なくとも一部には、例えば、ハンマー３０の先端側の少なくとも一部が当接するように配置されている。これにより、チゼル４０は、例えば、連結部材５０と共にハンマーの往復運動に応じて往復運動することが可能となっている。連結部材５０は、例えば、ステンレスにより構成されることが好ましい。
【００１９】
連結部材５０の後端側の外周部には、例えば、周方向に複数の突起部５１が設けられている。突起部５１は、例えば、ピストン２３の往復運動する方向に沿って本体部１０に設けられた孔状又は溝状の案内部１１に挿入されており、連結部材５０の移動を案内するようになっている。連結部材５０の先端側には、例えば、チゼル４０の後端側を挿入する挿入孔５２が設けられている。連結部材５０の先端側外周には、例えば、チゼル４０を固定するための固定部材５３が配設されている。
【００２０】
連結部材５０の後端側には、また、チゼル４０を先端側に付勢する付勢部材６０が配設されていることが好ましい。付勢部材６０としては、例えば、ばねが挙げられる。付勢部材６０は、例えば、一端部が連結部材５０の後端側の一部に当接され、他端部が連結部材５０と対向する本体部１０の一部に当接されて、連結部材５０と本体部１０との間に配設されることが好ましい。チゼル４０及び連結部材５０は、例えば、チゼル４０が後端側に押されることにより、付勢部材６０が圧縮されて、ピストン２３及びハンマー３０が先端側に移動する力がチゼル４０に伝達されるように配設されることが好ましい。
【００２１】
すなわち、チゼル４０及び連結部材５０が付勢部材６０により付勢されて最も先端側に位置する状態において、ピストン２３及びハンマー３０が最も先端側に移動しても、連結部材５０とハンマー３０とが当接せずに隙間が存在しているか、又は、当接しても連結部材５０を先端側に押圧しないように構成されることが好ましい。チゼル４０を粉砕対象の骨に押し当てた時にチゼル４０に力が伝達されて、骨を粉砕することができるようにするためである。
【００２２】
本体部１０の内部には、例えば、ピストン２３が先端側に移動した時に当接してピストン２３の先端側への移動を停止させると共に、ピストン２３が衝突した時の衝撃を緩和する緩和部材７０が設けられている。これにより、ピストン２３が流体圧により先端側に移動し衝突した時の衝撃を緩和し、チゼル４０に伝わる衝撃を緩和することができるようになっている。緩和部材７０は、少なくとも一部が弾性部材により構成されている。緩和部材７０を構成する弾性部材としては、例えば、シリコーンゴムが好ましい。耐熱性、耐水性、耐薬品性に優れているので、衛生面で好ましいからである。
【００２３】
本体部１０の内部には、また、例えば、シリンダ２０に流体を導入する導入管１２と、シリンダ２０から流体を排出する排出管１３とが設けられている。導入管１２は、例えば、シリンダ２０の流体導入口２１に連結されており、排出管１３は、例えば、シリンダ２０の流体排出口２２に連結されている。導入管１２には、ピストン２３を往復運動させる流体の流量を調整する流量調整機構１４が設けられていることが好ましい。目的に応じて骨を粉砕する衝撃度合を調整することができるようにするためである。流量調整機構１４は、例えば、導入管１２の断面積を変化させて流量を調整するようになっている。
【００２４】
また、本体部１０には、例えば、手で持つためのハンドル部１５が形成されており、このハンドル部１５を持った手で操作可能な位置に、シリンダ２０への流体の供給及び停止を制御するトリガー部８０が設けられていることが好ましい。片手で持ち容易に操作することができようにするためである。
【００２５】
トリガー部８０は、例えば、手で操作するレバー８１と、レバー８１の操作により移動し、導入管１２を開閉する開閉部材８２とを備えている。レバー８１は、例えば、一端部が本体部１０に対して配設されており、他端部がハンドル部１５に対して接近又は離間できるように固定されている。レバー８１は、例えば、他端部がハンドル部１５から離間するように付勢されており、手を握るとレバー８１の他端部がハンドル部１５に近づき、手を緩めるとレバー８１の他端部がハンドル部１５から離れるようになっている。開閉部材８２は、例えば、一端部がレバー８１に固定されており、レバー８１の他端部がハンドル部１５に近づくと導入管１２を開通し、レバー８１の他端部がハンドル部１５から離間すると導入管１２を閉鎖するようになっている。
【００２６】
この骨粉砕機１は、例えば、次のように動作する。図３から図５は骨粉砕機１の動作を表すものである。まず、例えば、図３に示したように、目的に応じて、流量調整機構１４によりシリンダ２０に供給する流体の流量を調整し、チゼル４０により骨Ｍを粉砕する際の衝撃度合を調整する。次いで、例えば、同じく図３に示したように、ハンドル部１５を片手で持ち、チゼル４０の先端を粉砕対象の骨Ｍに押し当てる。これにより、チゼル４０は後端側に押され、付勢部材６０は圧縮され、ピストン２３及びハンマー３０も後端側に移動する。
【００２７】
続いて、例えば、図４に示したように、ハンドル部１５を持った手でレバー８１の他端部をハンドル部１５に近づけ、開閉部材８２により導入管１２を開通させると、シリンダ２０に流体導入口２１から流体が供給される。これにより、シリンダ２０内の流体圧が高くなり、ピストン２３が先端側に移動し、ピストン２３の移動に応じてハンマー３０が先端側に移動し、ハンマー３０の移動に応じて連結部材５０及びチゼル４０が先端側に移動して、骨Ｍを打撃する。
【００２８】
ピストン２３の移動により流体導入口２１と流体排出口２２とがシリンダ２０の内部を介して連通されると、シリンダ２０内の流体が流体排出口２２から排出される。これにより、シリンダ２０内の流体圧が低くなり、例えば、図５に示したように、ピストン２３は後端側に移動する。また、チゼル４０の先端は粉砕対象の骨Ｍに押し当てられているので、ハンマー３０はチゼル４０により後端側に押圧されており、ピストン２３の移動に応じてピストン２３と共に後端側に移動する。チゼル４０及び連結部材５０も、ハンマー３０の移動に応じてハンマー３０と共に後端側に移動する。
【００２９】
これが繰り返されることにより、シリンダ２０においてピストン２３が往復運動し、このピストン２３の往復運動に応じてハンマー３０が往復運動し、このハンマー３０の往復運動に応じてチゼル４０及び連結部材５０が往復運動して、骨Ｍを打撃する。その際、この骨粉砕機１では、ピストン２３が先端側に移動した時の衝撃を緩和する緩和部材７０が設けられているので、チゼル４０に伝わる衝撃が緩和され、柔らかな衝撃により骨Ｍを粉砕することができる。
【００３０】
そののち、レバー８１の他端部をハンドル部１５から離間させると、開閉部材８２により導入管１２が閉鎖され、流体の供給が停止して、ピストン２３の移動が停止し、チゼル４０の動きが停止する。また、チゼル４０の先端を粉砕対象の骨Ｍから離した場合も、チゼル４０及び連結部材５０が付勢部材６０により付勢されて先端側に移動し、ピストン２３及びハンマー３０が先端側に移動する力の伝達が遮断されるので、チゼル４０の動きが停止する。
【００３１】
なお、上記説明では、チゼル４０の先端を粉砕対象の骨Ｍに押し当てたのち、レバー８１の他端部をハンドル部１５に近づけ、開閉部材８２により導入管１２を開通させてチゼル４０を往復運動させるようにしたが、レバー８１の他端部をハンドル部１５に近づけ、開閉部材８２により導入管１２を開通させたのち、チゼル４０の先端を粉砕対象の骨Ｍに押し当てるようにしてもよい。この場合においても、チゼル４０の先端を粉砕対象の骨Ｍに押し当てる前は、チゼル４０に対して、ピストン２３及びハンマー３０が先端側に移動する力の伝達が遮断されており、チゼル４０は移動しない。よって、チゼル４０を粉砕位置に正確に押し当てることができ、容易かつ安全に高い精度で骨Ｍを粉砕することができる。
【００３２】
このように、第１の実施の形態によれば、ピストン２３が先端側に移動して衝突した時の衝撃を緩和する緩和部材７０を設けるようにしたので、チゼル４０に伝わる衝撃を緩和することができ、柔らかな衝撃により骨を粉砕することができる。
【００３３】
また、チゼル４０を先端側に付勢する付勢部材６０を設け、チゼル４０が後端側に押されることにより、付勢部材６０が圧縮され、ピストン２３及びハンマー３０が先端側に移動する力がチゼル４０に伝達されるようにすれば、チゼル４０を粉砕対象の骨に押し当てた時にチゼル４０に力が伝達され、骨を粉砕することができる。よって、チゼル４０を骨に押し当てる前はチゼル４０が駆動しないので、チゼル４０を粉砕位置に正確に押し当てることができ、容易かつ安全に高い精度で骨を粉砕することができる。
【００３４】
更に、チゼル４０を着脱可能とすれば、粉砕対象に応じて先端形状の異なるチゼル４０を用いることができると共に、使用により摩耗した時には新品と交換することができる。
【００３５】
加えて、本体部１０に手で持つためのハンドル部１５が形成され、このハンドル部１５を持った手で操作可能な位置に、シリンダ２０への流体の供給及び停止を制御するトリガー部８０を設けるようにすれば、片手で持ち容易に操作することができ、容易に治療することができる。
【００３６】
更にまた、ピストン２３を往復運動させる流体の流量を調整する流量調整機構７０を備えるようにすれば、衝撃度合を調整することができ、骨を目的に応じた強度で粉砕することができる。
【００３７】
（第２の実施の形態）
図６は、本発明の第２の実施の形態に係る骨粉砕機２の構成を表すものである。図７から図１０は、骨粉砕機２の動作を表すものである。この骨粉砕機２は、シリンダ２２０の構成が異なることを除き、他は第１の実施の形態の骨粉砕機１と同一の構成を有している。よって、第２の実施の形態では、第１の実施の形態と異なる部分のみを説明し、図６〜図１０においても、シリンダ２２０の部分を取り出して表している。また、第２の実施の形態においては、第１の実施の形態と同一の構成要素については第１の実施の形態と同一の符号を付して説明する。
【００３８】
シリンダ２２０には、流体導入口２２１及び流体排出口２２２が設けられており、内部には、流体圧により往復運動するピストン２２３が設けられている。流体導入口２２１は、例えば、シリンダ２２０の後端側の周面に設けられた第１導入口２２１Ａと、シリンダ２２０の先端側の周面に設けられた第２導入口２２１Ｂとを有しており、第１導入口２２１Ａ及び第２導入口２２１Ｂは、例えば、シリンダ弁２２４の移動により開閉するように構成されている。流体排出口２２２は、例えば、シリンダ２２０の後端側に設けられた第１排出口２２２Ａと、シリンダ２２０の先端側に設けられた第２排出口２２２Ｂとを有しており、第１排出口２２２Ａ及び第２排出口２２２Ｂは、例えば、シリンダ弁２２４の移動により開閉するように構成されている。
【００３９】
シリンダ弁２２４は、例えば、流体圧により移動して流体導入口２２１及び流体排出口２２２を開閉し、シリンダ２２０の内部と導入管１２及び排出管１３との連通状態を制御するものである。シリンダ弁２２４は、例えば、第１弁２２４Ａの外側に第２弁２２４Ｂが配設された二重構造とされていることが好ましい。
【００４０】
第１弁２２４Ａは、例えば、移動により流体排出口２２２を開閉し、シリンダ２２０の内部と排出管１３との連通状態を制御するものである。第１弁２２４Ａは、例えば、後端側に移動した時に、後端側の第１排出口２２２Ａを閉鎖し、先端側の第２排出口２２２Ｂを開口して、先端側に移動した時に、後端側の第１排出口２２２Ａを開口し、先端側の第２排出口２２２Ｂを閉鎖するように構成されている。第１弁２２４の側部には、例えば、第１導入口２２１Ａとシリンダ２２０の内部とを連通する第１連通口２２４Ｃと、第２導入口２２１Ｂとシリンダ２２０の内部とを連通する第２連通口２２４Ｄとが形成されている。
【００４１】
第２弁２２４Ｂは、例えば、移動により流体導入口２２１並びに第１弁２２４Ａに設けられている第１連通口２２４Ｃ及び第２連通口２２４Ｄを開閉し、第１弁２２４Ａと協働してシリンダ２２０の内部と導入管１２との連通状態を制御するものである。第２弁２２４Ｂは、例えば、移動により第１連通口２２４Ｃ及び第２連通口２２４Ｄのうちの一方を開口して他方を閉鎖することができるように、又は、第１導入口２２１Ａ及び第２導入口２２１Ｂのうちの一方を開口して他方を閉鎖することができるように構成されている。
【００４２】
なお、ピストン２２３、第１弁２２４Ａ、第２弁２２４Ｂ、及び、本体部１０の間には、例えば、Ｏリング等のシール部材（図示せず）が配設されている。また、ピストン２２３の構成及びシリンダ２２０を駆動する流体は、第１の実施の形態と同一である。
【００４３】
この骨粉砕機２は、例えば、次のように動作する。まず、必要に応じて、流量調整機構１４によりシリンダ２２０に供給する流体の流量を調整したのち、チゼル４０の先端を粉砕対象の骨Ｍに押し当てる。これにより、例えば、図７（Ａ）に示したように、チゼル４０と共にハンマー３０及びピストン２２３が後端側に移動し、第２連通口２２４Ｄが開口されて、導入管１２とシリンダ２２０内のビストン２２３の前側とが連通される。
【００４４】
次いで、例えば、開閉部材８２により導入管１２を開通させると、第２導入口２２１Ｂ及び第２連通口２２４Ｄを介して、シリンダ２２０内のビストン２２３の前側に流体が供給され、ピストン２２３の前側の流体圧が高くなる。これにより、例えば、図７（Ｂ）に示したように、ピストン２２３が後端側に移動し、ピストン２２３の後ろ側のシリンダ２２０内の流体が第１排出口２２２Ａから排出管１３に排出される。また、チゼル４０の先端は粉砕対象の骨Ｍに押し当てられているので、ハンマー３０はチゼル４０により後端側に押圧されており、ピストン２３の移動に応じてハンマー３０及びチゼル４０も後端側に移動する。
【００４５】
更に、第２導入口２２１Ｂ及び第２連通口２２４Ｄを介して、シリンダ２２０内のビストン２２３の前側に流体が供給されると、ピストン２２３の前側の流体圧が更に高くなり、例えば、図８（Ａ）に示したように、第１弁２２４Ａが後端側に移動して、後端側の第１排出口２２２Ａを閉鎖し、先端側の第２排出口２２２Ｂを開口する。これにより、ピストン２２３の前側のシリンダ２２０内の流体が第２排出口２２２Ｂから排出管１３に排出され、ピストン２２３の前側の流体圧が低下する。また、第１弁２２４Ａの先端側の第２連通口２２４Ｄは第２弁２２４Ｂにより閉鎖され、先端側の第２導入口２２１Ｂは第１弁２２４Ａにより閉鎖される。これにより、導入管１２からシリンダ２２０内への流体の導入は停止され、後端側の第１導入口２２１Ａ近傍における導入管１２の流体圧が相対的に高くなる。
【００４６】
そののち、流体圧のバランスにより、例えば、図８（Ｂ）に示したように、第１弁２２４Ａ及び第２弁２２４Ｂが先端側に移動し、後端側の第１導入口２２１Ａが開口され、シリンダ２２０内のビストン２２３の後ろ側に流体が供給される。なお、第１弁２２４Ａが完全に先端側に移動しなくても、第２弁２２４Ｂにより開口された第１導入口２２１Ａと第１連通口２２４Ｃとが連通されるので、第１排出口２２２Ａは閉鎖され、第２排出口２２２Ｂは開口されたままの状態となっている。これにより、例えば、図９（Ａ）に示したように、ピストン２２３の後ろ側の流体圧が高くなり、ピストン２２３が先端側に移動し、ピストン２３の移動に応じてハンマー３０及びチゼル４０が先端側に移動して、骨Ｍを打撃する。
【００４７】
更に、第１導入口２２１Ａ及び第１連通口２２４Ｃを介して、シリンダ２２０内のビストン２２３の後ろ側に流体が供給されると、ピストン２２３の後ろ側の流体圧が更に高くなり、例えば、図９（Ｂ）に示したように、第１弁２２４Ａが先端側に完全に移動して、後端側の第１排出口２２２Ａを開口し、先端側の第２排出口２２２Ｂを閉鎖する。これにより、ピストン２２３の後ろ側のシリンダ２２０内の流体が第１排出口２２２Ａから排出管１３に排出され、ピストン２２３の後ろ側の流体圧が低下し、先端側の第２導入口２２１Ｂ付近における導入管１２の流体圧が相対的に高くなる。
【００４８】
そののち、流体圧のバランスにより、例えば、図１０に示したように、第２弁２２４Ｂが後端側に移動し、後端側の第１導入口２２１Ａが閉鎖され、先端側の第２導入口２２１Ｂが開口されて第２連通口２２４Ｄと連通される。なお、第２連通口２２４Ｄはピストン２２３により閉鎖されているので、導入管１２からシリンダ２２０内への流体の導入は停止される。また、チゼル４０の先端は粉砕対象の骨Ｍに押し当てられており、後端側の第１排出口２２２Ａは開口されているので、例えば、図７（Ａ）に示したように、チゼル４０と共にハンマー３０及びピストン２２３が後端側に移動し、第２連通口２２４Ｄを開口して、導入管１２とシリンダ２２０内のビストン２２３の前側とを連通する。
【００４９】
これが繰り返されることにより、シリンダ２０においてピストン２３が往復運動し、このピストン２３の往復運動に応じてハンマー３０及びチゼル４０が往復運動して、骨Ｍを打撃する。また、動作を停止させる時には、第１の実施の形態と同様に、開閉部材８２により導入管１２を閉鎖するか、又は、チゼル４０の先端を粉砕対象の骨Ｍから離間させる。
【００５０】
このように、第２の実施の形態によっても、第１の実施の形態と同様に作用させることができ、同様の効果を得ることができる。
【００５１】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えている必要はなく、また、他の構成要素を備えていてもよい。更に、各構成要素の構成は変形することができる。
【００５２】
加えて、上記実施の形態では、流量調整機構１４を単独の機構としてハンドル部１５の下部に設ける場合について説明したが、例えば、トリガー部８０に設け、トリガー部８０に流量調整機能を持たせるようにしてもよい。その場合、例えば、開閉部材８２の位置により、導入管１２の流通断面積を段階的又は連続的に変化させることができるようにし、レバー８１で調整することにより流量を変化させるようにしてもよい。
【産業上の利用可能性】
【００５３】
骨折の治療に用いることができる。
【符号の説明】
【００５４】
１，２…骨粉砕機、１０…本体部、１１…案内部、１２…導入管、１３…排出管、１４…流量調整機構、１５…ハンドル部、２０…シリンダ、２１…流体導入口、２２…流体排出口、２３…ピストン、３０…ハンマー、３１…フランジ、４０…チゼル、５０…連結部材、５１…突起部、５２…挿入孔、５３…固定部材、６０…付勢部材、７０…緩和部材、８０…トリガー部、８１…レバー、８２…開閉部材、２２０…シリンダ、２２１…流体導入口、２２１Ａ…第１導入口、２２１Ｂ…第２導入口、２２２…流体排出口、２２２Ａ…第１排出口、２２２Ｂ…第２排出口、２２３…ピストン、２２４…シリンダ弁、２２４Ａ…第１弁、２２４Ｂ…第２弁、２２４Ｃ…第１連通口、２２４Ｄ…第２連通口
【図１】
2019170418.tif 000003
【図２】
2019170418.tif 000004
【図３】
2019170418.tif 000005
【図４】
2019170418.tif 000006
【図５】
2019170418.tif 000007
【図６】
2019170418.tif 000008
【図７】
2019170418.tif 000009
【図８】
2019170418.tif 000010
【図９】
2019170418.tif 000011
【図１０】
2019170418.tif 000012
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
本体部と、
この本体部の内部に形成され、流体導入口及び流体排出口が設けられ、流体圧によりピストンが往復運動するシリンダと、
このシリンダの先端側に設けられ、前記ピストンの往復運動に応じて往復運動可能なハンマーと、
このハンマーの先端側に設けられ、前記ハンマーの往復運動に応じて往復運動可能であり、骨を粉砕するチゼルと、
前記ピストンが先端側に移動した時に当接して前記ピストンの先端側への移動を停止させ、少なくとも一部が弾性部材により構成されて、前記ピストンが衝突した時の衝撃を緩和する緩和部材と、
前記チゼルを先端側に付勢する付勢部材とを備え、
前記チゼルが後端側に押されることにより、前記付勢部材が圧縮され、前記ピストン及び前記ハンマーが先端側に移動する力が前記チゼルに伝達される
ことを特徴とする骨粉砕機。
【請求項２】
前記チゼルを着脱可能に支持し、前記本体部に対して前記ハンマーの移動方向に移動可能に配設された連結部材を備え、
前記付勢部材は、前記連結部材と前記本体部との間に配設された
ことを特徴とする請求項１記載の骨粉砕機。
【請求項３】
前記本体部には、手で持つためのハンドル部が形成され、
このハンドル部を持った手で操作可能な位置に、前記シリンダへの流体の供給及び停止を制御するトリガー部が設けられた
ことを特徴とする請求項１又は請求項２記載の骨粉砕機。
【請求項４】
前記ピストンを往復運動させる流体の流量を調整する流量調整機構を備えたことを特徴とする請求項１から請求項３のいずれか１に記載の骨粉砕機。